(57)【要約】【課題】データ記録を複製する方法を提供する。【解決手段】分離前に、ポリマー溶液をマスターデータ記録ディスク、例えばフォトレジスト像を有するガラス基板、の上に回転被覆し、乾燥してポリマーを形成させ、得られたポリマー膜は、マスターの表面上のミクロンサイズの光記録特性を忠実に再生している。そのような膜は、剥離してペリクルのような枠にとりつけるか、または複製物を支持するために剥離前に硬質かつ強固な基板に最初に積層する。【選択図】図１
2005338859.tif 000002
【特許請求の範囲】
【請求項１】
集積回路模様を表わしている特理的表面特性を有するマスクから位相シフトマスクを製造する方法において、
ポリマーの液体溶液を製造し、
前記溶液を、回転しているマスクの上に回転被覆し、
前記回転しているマスクの上の前記溶液を乾燥し、そして
前記回転しているマスクの上の前記溶液の乾燥から形成されたポリマーフィルムを剥離する
諸工程から成り、かつ前記剥離されたフィルムは、集積回路模様のためのマスクの前記表面に具体化されている前記データに相応する物理的表面特性を有している、前記の位相シフトマスクの製造方法。
【請求項２】
ポリマーの液体溶液を製造し、
前記溶液を回転しているマスクの上に回転被覆し、
前記回転しているマスクの上の前記溶液を乾燥し、そして
前記回転しているマスクの上の前記溶液の乾燥から形成されたポリマーフィルムを剥離する
諸工程から成る方法によって造られたポリマー物質の１層またはそれ以上の特性のある層を有する、全てポリマーの位相シフトマスクを製造するための光性能を強化する方法。
【請求項３】
ミクロ構造を表わしている表面特性を有するマスターからミクロ構造体を複製する方法において、
ポリマーの液体溶液を製造し、
前記溶液を、回転している平面のミクロ構造を有するマスターの上に回転被覆し、
前記回転しているマスターの上の前記溶液を乾燥し、そして
前記回転しているマスターの上の前記溶液の乾燥から形成されたポリマーフィルムを剥離する
諸工程から成る、前記のミクロ構造体の複製方法。
【請求項４】
前記マスター上にミクロキューベットを像形成させる予備工程を更に含んでおり、かつキューベットのシステムが、最終的には前記の剥離されたフィルムに形成される、請求項３に記載の方法。
【請求項５】
ポリマーの液体溶液を製造し、
前記溶液を回転しているマスクの上に回転被覆し、
前記回転しているマスクの上の前記溶液を乾燥し、そして
前記回転しているマスクの上の前記溶液の乾燥から形成されたポリマーフィルムを剥離する
諸工程から成る方法によって造られた像形成された特性のあるポリマー物質の１層またはそれ以上の層を有する、全てポリマーの位相シフトマスク。
【請求項６】
位相シフトの性質を表わす特異な厚さを有する像形成された特性のポリマー物質の１層またはそれ以上を有する、全てポリマーの位相シフトマスク。
【発明の詳細な説明】
【技術分野】
【０００１】
本発明は光ディスク（ｏｐｔｉｃａｌ  ｄｉｓｃｓ）に関する。更に詳細には、本発明は、データ記録を複製する方法および装置、例えば、コンピューター（ｃｏｍｐｕｔｅｒ）、オーディオ（ａｕｄｉｏ）およびビデオの記録のために使用されるようなコンパクトディスク（ｃｏｍｐａｃｔ  ｄｉｓｃｓ）、に関する。
【０００２】
また、本発明は、一般的に、微細な構造物（ｍｉｃｒｏ  ｓｔｒｕｃｔｕｒｅ）の製作、特に、生物医学的な機械類および微細な機械類のような種々な分野のための微細な細密な装置の大量生産に関する。
【背景技術】
【０００３】
読み取り専用コンパクトディスク〔Ｃｏｍｐａｃｔ  ｄｉｓｃ  ｒｅａｄ  ｏｎｌｙ  ｍｅｍｏｒｙ（ＣＤ−ＲＯＭ）〕であるディスク（ｄｉｓｃｓ）およびそれらのドライブ（ｄｒｉｖｅｓ）は、現在において、コンピューターのデータ蓄積装置、音楽芸術家のオーディオ記録、およびビデオのいたるところに使用されている。ＣＤ−ＲＯＭという表題に関して一般的な需要について知られていたことは、マスター（ｍａｓｔｅｒｓ）からのＣＤ−ＲＯＭ複製物の製造は、たぶん、極めて多量であるということであった。
【０００４】
ＣＤ−ＲＯＭの製造は、複製の忠実性および製造コスト（ｃｏｓｔ）の両方に関係している。ＣＤ−ＲＯＭの製作に使用される製造の方法は、半導体の製造に使用される方法、特に、マスク（ｍａｓｋ）の製造に使用される方法、に極めて似ている。
【０００５】
マスターリング（Ｍａｓｔｅｒｉｎｇ）は、（その名称が意味しているように）、ディスク−そのディスクから全ての他のディスクが造られる−を製造することである。その製造方法の第１工程は、複製のために使用することができるマスター（ｍａｓｔｅｒ）を造ることである。レーザー（ｌａｓｅｒ）を使用して、フォトレジスト（ｐｈｏｔｏｒｅｓｉｓｔ）表面に、その中心トラック（ｃｅｎｔｅｒ  ｔｒａｃｋ）から始めてらせん模様に外方向へ動かしながら、データを含んでいるピット（ｐｉｔｓ）およびランド（ｌａｎｄｓ）を書きこむことができる。
【０００６】
ガラス製マスターの正確性をチェックした後に、従来の複製用機械を用いてスタンパー（ｓｔａｍｐｅｒ）を作製する。異った複製方法には僅かに異ったスタンパーを必要とするが、その機能は同じであり、大量生産用ディスクにデータの模様をエンボス（ｅｍｂｏｓｓｉｎｇ）する。射出成形法により、ポジのディスク像を形成するネガのスタンパーを生成させる一連の中間のくぼみが造られる。製造サイクルにおけるこの部分の家族の木のような構造（ｆａｍｉｌｙ−ｔｒｅｅ−ｌｉｋｅ  ｓｔｒｕｃｔｕｒｅ）は、種々なディスクの生成物のための、例えば母、父、および息子または娘、のような名前のもとになる。
【０００７】
コンパクトディスク（ＣＤｓ）は、典型的には、一般的に、積層されたビデオディスクに使用されているポリメチルメタクリレート（ＰＭＭＡ）よりも、水の吸収および熱に対する感受性が少ない物質であるポリカーボネートプラスチックから造られている。ビデオディスクは、いっしょにサンドウィッチ状にした基板の２つのスライス（ｓｌｉｃｅｓ）から成っているので、それらはＣＤｓよりもより多く硬質である。製造業者は、熱または水の吸収によるゆがみを防ぐために、例えばポリカーボネート樹脂を加熱し、それをディスクを形成する型に注入する射出成形のある種のタイプを使用することによって、予防措置をとっている。スタンパーで、冷プラスチックにデータの模様を押しつけ、次いでそのディスクを減圧室内に置き、そこでアルミニウムの反射層を付け加え、保護用ラッカーを用いて被覆する。ラベル（ｌａｂｅｌ）は、ラッカーで被覆された側上にシルクスクリーンするかまたは印刷される。
【０００８】
射出成形は多くの利点を有している。世界中において製造工場はこの技術を使用しており、その特異性はよく知られている。製造用プラントが最初に活動を開始したときは、それらの収率は一般的に低かったが、経験するにつれて収率は実質的に増加した。射出成形についての批評において主張されていることは、その方法が面倒でありかつ装置について多くの投資を必要としそしてクリーンルーム（ｃｌｅａｎ  ｒｏｏｍ）を必要とすることである。成形中にポリカーボネートのゆがみがそのプラスチックの中に現われ、それは読み取り用レーザー光の害となりまた該レーザー光をゆがめてしまう。そのような欠点があるにもかかわらず、現在可動している製造用プラントはこの方法を使用している。
【０００９】
ミネソタ  マイニング  アンド  マニュファクチュアリング  コンパニー〔Ｍｉｎｎｅｓｏｔａ  Ｍｉｎｉｎｇ  ａｎｄ  Ｍａｎｕｆａｃｔｕｒｉｎｇ  Ｃｏｍｐａｎｙ（３Ｍ）〕は、従来技術の光重合法〔ｐｈｏｔｏ−ｐｏｌｙｍｅｒｉｚａｔｉｏｎ（２Ｐ）〕を使用しており、その方法においては、予め切断されたポリカーボネートの前駆体樹脂が、マスターおよびベースプレート（ｂａｓｅ  ｐｌａｔｅ）の間に挿入され、次いでエンボスされている。次いで、このポリカーボネート前駆体のサンドイッチ状充填物を紫外線を用いて硬化させる。この複製方法は、部分的に、製造の間におけるプラスチックの加熱および冷却を避けることにより早くできることに利点がある。しかし、この２Ｐ法に対する批評では、収率が低いと言われている。なぜなら、不適当な硬化すなわちゆがみが捨てられる多くのディスクの原因となるからである。
【００１０】
ベンロ（Ｖｅｎｌｏ）（オランダ）のドクデータ（ＤＯＣＤａｔａ）およびロスアンゼルス（Ｌｏｓ  Ａｎｇｅｌｅｓ）のコムディスク（ＣＯＭＤｉｓｃ）には、２種の全く異った方法が用いられており、それらでは、連続的に印刷またはエンボスする技術を使用することにより、早くかつ低コストでコンパクトデスクの複製物を造ることが試みられている。これら両方のシステムは、研究室の規模において行われたが、現在においてはそれらのいずれもが工業的に利用されていない。これらの技術は有望に見えかつ大いに魅力的であったが、大会社は、まだ、いずれの方法に対しても財政的に掛かり合っていない。
【００１１】
マスターは、芸術家およびプログラマーによって提供されるテープまたはソフトウェアーから造られたデータ記録のオリジナルコピーである。レーザーおよび電子ビーム〔Ｅ−ビーム（Ｅ−ｂｅａｍ）〕は、ガラスおよびフォトプレート（ｐｈｏｔｏｐｌａｔｅ）の上に保持されているフォトレジストのための露光道具として使用される。同様に、半導体フォトマスク（ｓｅｍｉｃｏｎｄｕｃｔｏｒ  ｐｈｏｔｏｍａｓｋｓ）が造られる。
【００１２】
スタンパーは、マスターから複製されたサブマスター（ｓｕｂ−ｍａｓｔｅｒｓ）である。電気メッキおよび感光性ポリマーは、レジストの像の中の間隙を充填して、製造された最終のコピーがマスターのポジであるような、マスターの逆の階調のサブマスター複製物を造り出す、２種の普通の方法である。
【００１３】
従来技術である光重合法（２Ｐ）は、照射して重合体を生成する単量体で出発する。データを記録するディスクの複製においては、そのような方法は、紫外線照射および単量体溶液を加圧するための高価な機械を必要とする。
【発明の開示】
【課題を解決するための手段】
【００１４】
発明の概要
それ故、本発明の目的は、データ記録を複製する方法を提供することである。
更に本発明の目的は、マスターの記録から、浅い特性（ｓｈａｌｌｏｗ  ｆｅａｔｕｒｅ）、例えば８００オングストロームと同等の浅さ、を忠実に複製する複製されたデータ記録を提供することである。
【００１５】
簡単に言えば、本発明の態様は、分離前に、溶液例えばフルオロポリマーを、フォトレジスト像を有するマスターディスク例えばガラス基板上に回転被覆する方法である。そして、乾燥してフィルムを形成した後に、結果的に、マスターの表面上のミクロンサイズの光記録特性の忠実な再生であるポリマーの膜を生成する。そのような膜は、剥離してペリクルのような枠（ｐｅｌｌｉｃｌｅ−ｌｉｋｅ  ｆｒａｍｅ）にとりつけるか、または複製物を支持するために剥離前に硬質かつ強固な基板に最初に積層するか、のいずれかである。
【００１６】
本発明の利点は、極めて高解像度例えば０．１ミクロンを有しかつ高忠実度を有するマスターから像を再生し、そして高容量のデータ記録媒体を造ることができる方法を提供することである。
【００１７】
本発明の他の利点は、スピナー（ｓｐｉｎｎｅｒ）より他に、高度に特別な装置を必要としないで、データ記録光ディスクおよび半導体マスクの複製物を造ることができる方法を提供することである。
【００１８】
本発明の利点は、加熱、高圧または高真空を必要としないで、マスターのデータ記録の忠実な複製物を製造できる複製方法を提供することである。
【００１９】
更に、本発明の利点は、溶媒の自然乾燥および合致して書きとめられること（ｃｏｎｆｏｒｍａｌ  ｍａｐｐｉｎｇ）を使用して、別の方法では加熱を必要とするであろうものを完成することができる、データ記録を複製するための製造方法を提供することである。
【００２０】
本発明のこれらの目的およびその他の目的および利点は、当業者が種々な図面において例示されている好ましい態様の詳細な説明を読んだ後に、当業者にとって疑いもなく明らかになるであろう。
【００２１】
発明の詳細
本発明の方法においては、従来のクロム−オン−グラス  フォトプレート（ｃｈｒｏｍｅ−ｏｎ−ｇｌａｓｓ  ｐｈｏｔｏｐｌａｔｅｓ）上に、電子、光またはイオンのビームの書き込みを有するマスクの従来の製造方法が包含される。図１には、マスターコピーを造るための工程を始めるプロセス１０が例示されている。次いで、マスターコピー例えばフォトプレートは、工程１２においてエッチング（ｅｔｃｈｅｄ）されてクロムを除き８００−１０００オングストローム（０．０８−０．１ミクロン）と同等の浅さであるレリーフ特性（ｒｅｌｉｅｆ  ｆｅａｔｕｒｅｓ）を造る。次いで、工程１４において、適当な溶媒中に、ポリマー、例えばニトロセルロース、ポリビニル、ポリエステルまたはポリメチルメタクリレート、を溶解させてポリマー溶液を造る。次いで、工程１６において、このポリマー溶液をレリーフ特性を有するマスクまたはそれに類似のマスターに回転被覆する。これには、１分あたり数１００回転から数１０００回転（ＲＰＭ）まで速度を変えることができる適当なスピナーが使用される。好ましくは、そのようなスピナーは、回転させながらフィルムを乾燥させる排気孔を有している。適当な条件のもとで数ミクロンの厚さの薄いフィルムが形成され、マスタコピーの表面にある特性にそっくりと模造されている。次いで、工程１８において、このフィルムをマスターから分離するかまたは剥離する。それは、単独で、またはマスターコピーから分離される前にそれを補強するためにより強い他の基板に積層した後で、のいずれかにおいてなされる。
【００２２】
一般的に、得られたフィルムは、高品質でありかつ加工して光学的性質を変えることによって光学デバイス（ｏｐｔｉｃａｌ  ｄｅｖｉｃｅ）としてのフィルムの性能を強化することができる。そのような技術には、抗反射性（ＡＲ）被覆が包含される。また、ミクロ・エッチイング技術またはレーザー技術によって、光学的特性を追加して加えることもでき、また既に含まれている光学的特性を減じることもできる。
【００２３】
図１において、最後の集成工程２０には、アルミニウム環−その上でフィルムは引っぱられてピンと張られ、ゆがみが除去される−を有するフリー−スタンディング  コピー（ｆｒｅｅ−ｓｔａｎｄｉｎｇ  ｃｏｐｙ）をいずれかで造ることが含まれている。別法として、例えば工程１８において、フィルムの分離前に、光学的には良好なハードディスクを積層する。好ましくは、紫外線硬化性接着剤を使用してフィルムをアルミニウム枠に付ける。本発明に関連して、ペリクルの製造方法および技術は有用である。本発明の発明者であるギルバート  ホング（Ｇｉｌｂｅｒｔ  Ｈｏｎｇ）は、米国特許出願第０７／９３６，７５８号〔出願日：１９９２年８月２７日、発明の名称：エキシマーレーザーのための光化学的に安定な深い紫外線ペリクル（ＰＨＯＴＯＣＨＥＭＩＣＡＬＬＹ  ＳＴＡＢＬＥ  ＤＥＥＰ  ＵＬＴＲＡＶＩＯＬＥＴ  ＰＥＬＬＩＣＬＥＳ）〕（この出願の明細書の全記載は本出願の明細書の記載に組み入れられる）に、そのようなペリクルの製造について記載している。
【００２４】
プロセス１０は、製造における広い範囲の領域、例えば光蓄積、生医学、半導体の製造およびミクロの機械化、等、に適用することができる。ＣＤ−ＲＯＭの製造においては、いわゆる“２Ｐ”法を使用する場合、例えばプラスチックスタンパー（サブ−マスター）および／または最終製品〔サブ−サブ−マスター（ｓｕｂ−ｓｕｂ−ｍａｓｔｅｒｓ）〕の製造、に用いることができる。ある種の状況においては、フィルムの剥離工程を促進させるために剥離剤を使用することが望ましい。ペリクルの製造においては、フルオロポリマーおよびシリコーンを基材としたものが剥離剤として広く用いられている。フルオロポリマーから造られたスタンパーのためには、従来の任意のプラスチック物質から造られたスタンパーのコピーが、スタンパーからよく分離される。なぜなら、フルオロポリマーを非粘着性にするのには比較的小さい表面エネルギーであるからである。
【００２５】
半導体組立てマスクの製造には、像または模様のためのベースとしてフォトプレートが使用される。フォトプレートは、典型的には、スパッターされたクロムのための薄いフィルムを有するガラスの極めて平らなピース（ｐｉｅｃｅｓ）、例えば合成石英、である。感光性レジストがクロムに適用される。例えば、フォトレジストを露光するのにレーザービームが使用される。フォトレジストがポジ型またはネガ型かどうかに依存して、フォトレジストの露光領域または非露光領域の１つが浴中において洗い流され、次いで化学的エッチングに感受性のあるクロムを現わす。それ故、写真像は、クロムフィルムの中の模様によって模造されるべきフォトレジスト中にくぼみをつけられる。
【００２６】
位相シフトマスクはクロムマスクに取って代わることができる。ミクロリトグラフィーに適用（ｍｉｃｒｏ−ｌｉｔｈｏｇｒａｐｈｉｃ  ａｐｐｌｉｃａｔｉｏｎｓ）するためには、位相シフトマスクは、光の強さの変化を必ずしもあてにする必要はないが、しかし像の再構成のための位相変化はむしろあてにされる。クロムなしに造られたマスクは、本発明で造ることができる。なぜなら、任意の所望の厚さのポリマーフィルムが用だてられるからである。
【００２７】
本発明には、マスターのようなクロム像を受け入れかつそのときにクロムマスクの回転被覆によって位相シフトマスクを造るプロセスが包含されている。
【００２８】
ペリクルの製造に有用な多くの物質は、位相シフトマスクとして有用である。例えば、反射率１．５１を有するニトロセルロースは、ＰＭアセテートの溶媒と共に使用できる。反射率１．４８を有するブチラールは、ＥＥアセテートの溶媒と共に使用できる。反射率１．４９を有するセルロースアセテートは、ＥＭアセテートの溶媒と共に使用できる。反射率１．３２を有するフルオロポリマーは、ＦＣ−４０およびフレオン（ＦＲＥＯＮ）の溶媒と共に使用できる。好ましくは、そのような溶液は濾過して微粒子を除去する。例えば、ミリポアー、ポールフィルターおよびクノ（Ｍｉｌｌｉｐｏｒｅ，Ｐａｌｌ  Ｆｉｌｔｅｒ  ａｎｄ  Ｃｕｎｏ）によって市販されているような、０．２ミクロンのフィルターが有用であり、かつ工業的および一般的に利用可能である。
【００２９】
図２は、従来のペリクルに類似している、アルミニウム枠２８に付けられた集積回路デザイン特性２６を有する簡単なポリマーフィルム２４から成る、位相シフト集成体２２を示している。枠２８は、フィルム２４を張って保持することによりフィルム２４を光学的に平らにしている。位相のシフティングは、フィルム２４に対して直角に光を通すことによって達成される。フィルム２４の中の像は、フィルムの厚さの違いによって現わされ、そしてこれらの像は、半導体のウェハー（ｗａｆｅｒ）に移すことができる。結果的には、半導体加工のための位相シフトマスクは、まったくポリマーフィルムから造ることができる。本発明は、別な方法で従来技術においては達成することが殆んど不可能であったことに対して、実質的に単純化されたことを表わしているのである。
【００３０】
また、最終的にはユニットレベルの特注化（ｕｎｉｔ−ｌｅｖｅｌ  ｃｕｓｔｏｍｉｚａｔｉｏｎ）を可能にする大量生産は、本発明で可能である。像を有するペリクルは、従来のマスクからコピーとして造ることができ、また情報の大量の蓄積、例えばコンピューターのデータ、Ｘ線像、オーディオ／ビデオのデータ等、のためのマスターＣＤ−ＲＯＭの潜在的コピーとして造ることができる。また、像を有するペリクルは、他のタイプのマスターから造ることができる。エッチングされた像を有する石英の単純な１片は、ディジタル１および０に相応する。結果的に、マスター上に回転被覆されたポリマー溶液は、マスターの幾何図形的配列をそれに相応してはっきり描いているコピーを生じる。
【００３１】
オリジナルのクロムのないマスクは、従来技術のマスク製造技術によって造ることができる。しかし、クロムのブランク（ｃｈｒｏｍｅ  ｂｌａｎｋｓ）を使用する代りに、フォトレジストを有するガラスのブランク（ｃｈｒｏｍｅ  ｂｌａｎｋｓ）が使用される。フォトレジストは、レーザーまたは電子のビームで露光される。像はフォト−現像（ｐｈｏｔｏ−ｄｅｖｅｌｏｐｅｄ）される。次いで、その結果得られた模様化されたレジスト像は、プラズマエッチングまたは弗化水素酸を用いる液体相エッチングのいずれかによって、ガラス基板をエッチングするためのマスクとして使用される。また、エッチングされたガラスだけを有するマスクは、フォトレジストを使用することなしに、イオンビームエッチングまたはプラズマで強化された化学付着（ｃｈｅｍｉｃａｌ  ｄｅｐｏｄｉｔｉｏｎ）を用いる単一工程で造ることができる。現在においては、フォトリトログラフィー法がかなり進んでおり、好ましい。
【００３２】
ニトロセルロース膜から造られたディスク上にデータを直接書き込むのは可能である。なぜなら、そのような物質は、強度の紫外光線〔エクスシマー  レーザー（ＥＸＣＩＭＥＲ  ｌａｓｅｒ）等〕またはイオンビームによって、直接除去できるからである。次いで、ニトロセルロース膜は、スパン−オン  ポリマーコピー（ｓｐｕｎ−ｏｎ  ｐｏｌｙｍｅｒ  ｃｏｐｙ）を造るためのスピナー上のマスターとして、または後で特注するのを可能にするテンプレート（ｔｅｍｐｌａｔｅ）、例えば情報を有するブランクを満たすもの（ｆｉｌｌｉｎｇ−ｉｎ  ｏｆ  ｂｌａｎｋｓ  ｗｉｔｈ  ｉｎｆｏｒｍａｔｉｏｎ）として、使用することができる。
【００３３】
情報の蓄積がブランク（ｂｌａｎｋｓ）である基板は、アルミニウム枠によって支持された標準のペリクルから造ることができる。これらのブランクには、光像のためのペリクルの最上部に、レーザーまたはイオンビームを用い、またはその他の光化学的に感受性のある剤〔ｐｈｏｔｏｃｈｅｍｉｃａｌ  ｓｅｎｓｉｔｉｖｅ  ａｇｅｎｔ（ＰＳＡ）〕を加えることによって、書き込むことができる。これら２種の方法は、結果的に、僅かに異った種類のオリジナルを生じる。その１つは、単一の層の構造物を形成し、そして他のものは、２重の層の構造物を形成する。良好な強度を有する数ミクロンの厚さのフリー−スタンディング  フィルムコピー（ｆｒｅｅ−ｓｔａｎｄｉｎｇ  ｆｉｌｍ  ｃｏｐｙ）を造ることができる。多数の被覆も可能であって、第２の被覆は、適当に接着された第１の被覆から異るタイプのポリマーを付着するのに用いることができる。回転被覆および乾燥の間に、ベースのポリマーを攻撃することなしに、添加したポリマーを溶解する適当な溶剤が必要である。模様を詳細に描写すために、多数の層構造物中の少なくとも１層は、焦点を合わせた紫外光線、電子ビーム、またはイオンビームにより書かれるように充分に感受性がなければならない。
【００３４】
本発明には、直接書き込み装置を用いて、後で個々に特注することができるテンプレートを大量生産するプロセスも包含される。例えば、クレジットカード、光メモリーカード、および健康保険カード等に有利である。本発明の２層構造物においては、第１の層は単一模様で大量生産することができ、そして第２の層は、後で、例えば続きものとして、特別な使用者に個人化するために特注することができる。
【００３５】
ＣＤ−ＲＯＭｓの製造においては、アルミニウムの被覆を用いてＣＤの反射率を強化することができる。ＣＤ−ＲＯＭコピーの光学的品質は、ペリクルの性能を改良するのに用いられた従来技術を使用して改良することができる。もしキラキラした反射が問題であるならば、抗反射性被覆剤は、それが適用されたときは、透過光線の強度を増加できる。単一の層の抗反射性被覆には、反射率ｎ3〔ただし、ｎ3＝√ｎ1であり、ｎ1は基物質（ｂａｓｅ  ｍａｔｅｒｉａｌ）の反射率である〕を有する物質が含まれる。ニトロセルロースのためには、ｎ1＝１．５０、それ故ｎ3＝１．２３である。そのような低反射率を有する物質を見出すのが難かしいので、約１．３の反射率を有するフルオロポリマーがしばしば用いられる。その結果、３層構造物になる。
【００３６】
簡単に「ＡＭ」、「ＡＤ」および「ＡＳ」と称される３種のフルオロポリマーがあり、それら全ては類似の性質を有しており、かつ種々なフィルムの抗反射性被覆剤として適当である。「ＡＭ」は、３Ｍ社（３Ｍ  Ｃｏｍｐａｎｙ）から販売されており、ニトロセルロース、ポリビニルブチラールおよびセルロースアセテートのために使用することができる。「ＡＤ」は、ＡＦ−１６００としてジュポン（ＤｕＰｏｎｔ）から販売されており、ポリビニルブチラールおよびセルロースアセテートのために使用することができる。「ＡＳ」は、ＣＩＴＯＰとして旭化成（Ａｓａｈｉ  Ｃｈｅｍｉｃａｌ）から販売されており、ポリビニルブチラールのために使用することができる。「ＡＤ」は、最低の反射率を有し、それ故最もよい抗反射性を有している。
【００３７】
２種の抗反射性被覆剤を組み合わせて使用することができる。例えば、その１つはより高い反射率を有するものであり、そして他のものはより低い反射率を有するものである。その結果として得られる関係は、ｎ2／ｎ3＝√ｎ1（ただし、ｎ1は基物質であり、ｎ3は最も外側の物質であり、そしてｎ2は中間物質である）である。この場合には、ｎ3は、好ましくは、より低い反射率の物質であり、ｎ2はより高い反射反射率の物質であり、そしてｎ1は中間の反射率を有する物質である。好ましい高反射率の物質には、クロロベンゼンに溶解されたポリスチレン、ポリスルホンが包含され、１．７の典型的な反射率を有している。好ましい低反射率の物質には、「ＡＭ」、「ＡＳ」および「ＡＤ」または３Ｍ社〔３Ｍ  Ｃｏｍｐａｎｙ〕のＦＣ−４０が包含されており、溶媒のように使用され、そして１．３の典型的な反射率を有している。
【００３８】
図３は、５層の構造物３０の断面図を例示している。基板３２は反射率１．５０を有している。第１の１対の抗反射性被覆層３４および３６は反射率１．７０を有している。第２の１対の抗反射性被覆層３８および４０は反射率１．３２を有している。光学的な特性４２は、基板３２の表面の１つに示されており、記号に変えられたディジタルデーターが表わされている。
【００３９】
蛍光染料を、ニトロセルロースまたはその他の任意の基物質例えば抗反射性物質のように適用される第２の被覆剤に添加することができる。例えば、図３において、被覆層３４が蛍光染料を含んでいるならば、光学的特性４２は蛍光強度において変化を生じるであろう。そのような変化は、光学的に、ディジタル１および０として読みとることができる。コントラストを増加したレベルにするために、異なった染料を異なった層に加えてもよい。例えば、基板３２を赤色に染色し、そして被覆層３４を緑色に染色することができる。クマリン類のような染料が好ましい。なぜなら、それらは、紫外光線を吸収し、可視光線を放射するからである。適当に濾過することにより、光の入射ビームを、放射された（蛍光）ビームに干渉しないようにすることができる。ペリクルをベースとした読み取り専用〔ｐｅｌｌｉｃｌｅ  ｂａｓｅｄ  ｒｅａｄ  ｏｎｌｙ  ｍｅｍｏｒｉｅｓ（ＲＯＭｓ）〕においては、結果的に得られるシグナル：ノイズの比（ｓｉｇｎａｌ−ｔｏ−ｎｏｉｓｅ  ｒａｔｉｏ）は、従来技術以上に改良されている。
【００４０】
ミクロキューベット（ｍｉｃｒｏｃｕｖｅｔｔｅｓ）は、薬の配合物および試験のために薬品工業において用いられる。この工業界においては、極めて微小のサンプルで大規模な調査をするのが普通である。本発明は、１つのディスクの中に、種々な形態および形状のミクロキューベットを大量で製造することができる。ミクロキューベット集成物は、ＤＮＡ分析、ミクロ分析および生物学的分析等において有用である。そのような技術は、大量の試験量を比較的安価にかつ同時に試験することを可能にする。そのような試験は、汚染を防ぐためにクリーンルーム（ｃｌｅａｎ−ｒｏｏｍ）の環境において行われる。チャンネル（ｃｈａｎｎｅｌｓ）と連結されたミクロキューベットの列およびコラム（ｒｏｗｓ  ａｎｄ  ｃｏｌｕｍｎｓ）または分離されたくぼみ（ｐｏｔｈｏｌｅｓ）として、本発明のプロセスと共に組み立てることができる。濃度勾配は、列またはコラムまたはその両方に沿って、ある種の自動組織によってキューベットを単純に満たすことによって確立することができる。濃度は時間の関数として変わり、試料は、チャンネルを経由して１つのキューベットから他のキューベットに連続して流れることが可能である。種々な組成配合の薬を試験して、最適の効果を得ることができる。自動機械およびコンピューターで見ることができる自動分析は、充分に自動化した薬試験用機械として構成することができる。ミクロ分析はＤＮＡ分析において必要である。なぜなら、情報の数１０億（ｂｉｌｌｉｏｎｓ）のピース（ｐｉｅｃｅｓ）を判読しなければならないからである。それ故、本発明は、ＤＮＡおよびその他の生化学的分析におけるある種の自動分析に組み入れるのに他に類がないほど適している。
【００４１】
図４Ａ〜図４Ｃには、１組の３つのチャンネル５５〜５７に内部連結されている１組の４つのキューベット５１〜５４を有するミクロキューベットが例示されている。図４Ａにおいては、キューベット５１〜５４は平面図において四角である。図４Ｂにおいては、キューベット５１〜５４は、平面図において円形である。図４Ｃは、１つの勾配配置を示す断面図におけるキューベット５１〜５４を例示している。
【００４２】
本発明を、本発明の好ましい態様に関連して記載したが、この記載は本発明を制限するものとして解釈されるべきではない。前述の開示を読んだ後においては、当業者にとって、種々な変更および修正がなされることは疑いもなく明らかであろう。従って、本明細の特許請求の範囲は、本発明の精神および範囲内に入る全ての変更および修正を含んでいると解釈されるべきである。
【図面の簡単な説明】
【００４３】
【図１】図１は、本発明方法の態様のフローチャートである。
【図２】図２は、本発明の全てポリマーフィルムの位相シフトマスク（ａｌｌ−ｐｏｌｙｍｅｒｉｃ  ｆｉｌｍ  ｐｈａｓｅ  ｓｈｉｆｔ  ｍａｓｋ）の態様の断面図である。
【図３】図３は、本発明によって適用された２種の抗反射性被覆を有するペリクルの断面図である。
【図４】Ａは、四角形キューベット（ｃｕｖｅｔｔｅｓ）を有する本発明のミクロキューベットの態様の平面図である。  Ｂは、円形キューベットを有する本発明のミクロキューベットの態様の平面図である。  Ｃは、図３Ａおよび図３Ｂのミクロキューベットの断面図である。
【図１】
2005338859.tif 000003
【図２】
2005338859.tif 000004
【図３】
2005338859.tif 000005
【図４】
2005338859.tif 000006